(57)【特許請求の範囲】
【請求項１】
直流入力電圧を交流電圧に変換して出力する交流変換手段と、整流ダイオードとコンデンサとを直列接続した複数個の直列接続体と、前記交流電圧が供給されることにより前記直列接続体の各々のコンデンサから複数の直流出力電圧を出力する整流平滑手段とを備えたＤＣ−ＤＣコンバータに於いて、前記整流平滑手段が、少なくとも、電圧変動の影響の少ない第１負荷に接続される第１の直列接続体と、電圧変動の影響の大きい第２負荷に接続される第２の直列接続体からなり、前記第１の直列接続体の整流ダイオードと直列、かつ前記整流ダイオードと直列接続されたコンデンサの直流出力電圧の出力路を形成しない位置に前記第２負荷の電圧変動を抑制するための電流制限手段を備えたことを特徴とするＤＣ−ＤＣコンバータ。
【請求項２】
前記電流制限手段は、抵抗であることを特徴とする請求項１に記載のＤＣ−ＤＣコンバータ。
【請求項３】
前記電流制限手段は、前記第１の直列接続体のコンデンサの充電電荷の消費動作に応答してオフ状態にされ、当該コンデンサの充電時にオン状態にされるトランジスタであることを特徴とする請求項１に記載のＤＣ−ＤＣコンバータ。
【請求項４】
前記交流変換手段は、直流入力電圧が印加される１個の昇圧用インダクタと、オンオフ動作することにより前記昇圧用インダクタへの前記直流入力電圧の印加を断続するスイッチ手段とからなることを特徴とする請求項１ないし３に記載のＤＣ−ＤＣコンバータ。
【請求項５】
前記電流制限手段が、前記第２の直列接続体コンデンサの電圧変動を検出してスイッチ手段のオンオフ動作を制御する制御手段を備えてなる請求項４に記載のＤＣ−ＤＣコンバータ。
【請求項６】
前記電流制限手段が接続されていないコンデンサの高電位側端子と電流制限手段が接続されているコンデンサの高電位側端子との間に接続された抵抗を備えた請求項５に記載のＤＣ−ＤＣコンバータ。
【請求項７】
請求項１乃至６に記載のＤＣ−ＤＣコンバータを備えることを特徴とする電子機器。
【請求項８】
請求項１乃至６に記載のＤＣ−ＤＣコンバータを備えることを特徴とするカメラシステム。
【発明の詳細な説明】
【０００１】
【発明の属する技術分野】
本発明は、直流入力電圧を交流電圧に変換する交流変換手段を介して複数の直流出力電圧に変換するＤＣ−ＤＣコンバータおよびこのＤＣ−ＤＣコンバータを内蔵した電子機器に関し、特に直流入力電圧の変動時においても安定した直流出力電圧を供給できるＤＣ−ＤＣコンバータおよびこのＤＣ−ＤＣコンバータを内蔵した電子機器に関するものである。
【０００２】
【従来の技術】
直流入力電圧を交流電圧に変換する交流変換手段を介して複数の直流出力電圧に変換するＤＣ−ＤＣコンバータおよびこのＤＣ−ＤＣコンバータを内蔵した電子機器は、従来から種々提案あるいは実用化されている。
【０００３】
例えば、写真用カメラ分野において実用化されている赤外発光ダイオード等の適宜の光源より赤外光を被写体に向けて投光し、当該被写体からの赤外反射光を適宜の受光センサで受光することにより上記赤外反射光の角度を測定し、その測定結果から上記被写体までの距離情報を得るいわゆるアクティブ型測距装置が、上述したようなＤＣ−ＤＣコンバータおよびこのＤＣ−ＤＣコンバータを内蔵した電子機器として周知である。
【０００４】
このアクティブ型測距装置は、ＤＣ−ＤＣコンバータから出力される複数の直流出力電圧の内、一つの直流出力電圧を赤外光投光用の光源の電源として、他の直流出力電圧を赤外反射光の受光処理を行う測定回路系の電源としている。
【０００５】
また、通常被写体からの赤外反射光は非常に弱いことから例えば赤外発光ダイオードである光源の発光を明るくするために当該光源にはできる限りの多くの電流を流し、同時に被写体からの赤外反射光の測定、処理動作を行っており、さらにこの時、赤外反射光の測定、処理動作を行う測定回路系においては、正確な距離測定動作を行うために電源電圧の安定化が望まれている。
【０００６】
図４は従来周知のアクティブ型測距装置における上述した電源電圧の安定化を考慮した一例の要部電気回路図である。
【０００７】
本従来例は、直流電源である電源電池１が出力する直流入力電圧をスイッチ手段であるトランジスタ３のオンオフ動作を制御して昇圧用インダクタ４に断続供給することにより交流電圧に変換する交流変換手段２と、整流ダイオード８、９とコンデンサ１０、１１とをそれぞれ直列接続した複数の直列接続体６、７からなり上記交流電圧が供給されることにより上記直列接続体の各々のコンデンサ１０、１１から複数の直流出力電圧を出力する整流平滑手段５と、負荷である赤外投光用の光源（赤外発光ダイオード）１２および赤外反射光の測定回路系（赤外反射光測定用ＩＣ）１３とを備えて構成されている。
【０００８】
図４において、交流変換手段２のトランジスタ３をオンオフ動作させると、直流電源である電源電池１の出力電圧が昇圧用インダクタ４に断続供給され、これにより交流変換手段２の出力端である図中のＡ点に交流高電圧が発生する。
【０００９】
Ａ点に発生する交流高電圧は、整流平滑手段５の直列接続体６および７に供給され、よってコンデンサ１０がダイオード８を介して、またコンデンサ１１がダイオード９を介して充電される。
【００１０】
充電されたコンデンサ１０の充電電圧は、赤外投光用の光源（赤外発光ダイオード）１２に供給されることにより当該光源１２の駆動電源として機能し、また、充電されたコンデンサ１１の充電電圧は、赤外反射光の測定回路系（赤外反射光測定用ＩＣ）１３に供給されて当該測定回路系１３の駆動電源として機能する。
【００１１】
このため、負荷である光源１２および測定回路系１３への駆動電源電圧の供給はそれぞれコンデンサ１０およびコンデンサ１１から行われ、すなわち負荷に対する電源系が分離して構成されることになり、よって、コンデンサ１０、１１の容量をそれぞれが接続される負荷である光源１２および測定回路系１３の動作に十分な電力供給を行える容量とすることにより負荷に対して供給する電源電圧の安定化を図れることになる。
【００１２】
なお、電源電圧の安定化については、他にも種々の手段が知られており、例えば特開平５−４９２５２号公報には、ＤＣ−ＤＣコンバータの負荷の急激な変動に対して安定した出力が得られるように、トランスの一次側をスイッチングすることにより得られる二次側出力を帰還させて上記スイッチング動作を制御し、二次側に安定した出力を供給する回路手段が提案されている。
【００１３】
【発明が解決しようとする課題】
図４に示した構成を備えたアクティブ型測距装置においても、距離測定を行える被写体までの距離を大きくするために赤外投光用の光源１２への供給電流をさらに大きくすると、低温で電源電池１の性能が劣化した場合など電源電池１とＤＣ−ＤＣコンバータの能力が不足した場合、ＤＣ−ＤＣコンバータからの電力供給が赤外投光用の光源１２の電源となるコンデンサ１０のみに対して行われ、赤外反射光の測定回路系１３の電源となるコンデンサ１１には電力供給が行われず、このコンデンサ１１の電圧が低下してしまう場合が生じることがある。
【００１４】
簡単に述べると、測距動作を行うべく光源１２の発光動作、測定回路系１３による距離測定動作等を行うと、それぞれの電源として機能するコンデンサ１０およびコンデンサ１１の充電電荷が消費されることになる。
【００１５】
この時、光源１２の消費電流が測定回路系１３による消費電流よりも多いことからコンデンサ１０の充電電荷はコンデンサ１１の充電電荷の消費に比べて大きく消費されることになり、したがって、交流変換手段２の出力端子であるＡ点の電位は、充電電荷の消費量が多いコンデンサ１０の影響を受け、コンデンサ１０の端子電圧に整流ダイオード８による電圧降下分を加えた電位Ｖ２となる。
【００１６】
よって、低温下で電源電池１の性能が劣化した場合など電源電池１の能力が十分でない場合、図４に示した従来例においては先の発光動作により消費されたコンデンサ１０の充電電荷を速やかに補充することが困難となり、すなわちコンデンサ１０の端子電圧を所望値に維持することが困難となり、この結果、Ａ点の電位が先の発光動作に追従して低下することになる。
【００１７】
ところで、コンデンサ１１の端子電圧も測定回路系１３による電力消費によりコンデンサ１０の端子電圧と同様に低下し、一方、このコンデンサ１１の電圧低下を補うための充電動作は、コンデンサ１１の端子電圧が、Ａ点の電位から整流ダイオード９による電圧降下分を減じた電圧以下にならないと行われない。
【００１８】
換言すると、図４に示した従来例の場合、Ａ点の電位が低下すると、コンデンサ１１の端子電圧は、上記低下したＡ点の電位から整流ダイオード９の電圧降下分を減じた電圧までは下降し続けることになる。
【００１９】
コンデンサ１１の電圧が低下すると、測定回路系１３の動作に大きな影響を及ぼし、場合によっては測定回路系１３は誤った距離情報を出力する等の誤動作を生じて正確な距離測定動作を行うことができず、よって、距離測定精度が著しく低下することが考えられる。
【００２０】
すなわち、図４に示した従来構成のように負荷ごとに電源系を分離し、それぞれにコンデンサを接続したとしても、負荷のエネルギー消費状態や電源電池からのコンデンサへの電力供給能力の設定状況によっては、一つのコンデンサの電圧変動もしくは電圧低下が他のコンデンサにそのまま反映される場合が生じ、かかる場合依然として所望動作を得ることができなくなる不都合点を有していた。
【００２１】
より十分な容量のコンデンサを採用することによる上述した不都合点への対応も考えられるが、その場合必然的にコンデンサ形状が大型化し、近年、各種の電子機器において小型化が急速に進んできている現状から上記対応の実施は一段と困難となってきており、もちろん先に例示したアクティブ型測距装置を内蔵するカメラについても例外ではない。
【００２２】
また、負荷のエネルギー消費状態を制限すること、すなわち先の測距装置で述べれば赤外投光用光源における消費電流を低く制限して誤測距動作の発生を抑制することでも上記不都合に対応できることになるが、この場合、電池能力に余裕がある場合でも消費電流が抑制されることになり、これは距離測定を行える被写体までの距離が常時小さくなるという新たな不都合を生じることになる。
【００２３】
一方、特開平５−４９２５２号公報に開示されたＤＣ−ＤＣコンバータの性能を向上させる回路手段についても、電池性能が低下したときまで十分な昇圧動作を行えるように構成しようとすると構成が複雑化、かつ大型化し、同様に小型化されたカメラへの採用は困難であった。
【００２４】
なお、先に例示した赤外投光用光源の電源あるいは赤外反射光測定用回路系の電源における電源電圧低下もしくは変動の測距動作に対する影響度自体を考えてみると、詳述するまでもなく測定回路系の電源における電圧変動等が測距動作への影響度が大きく、具体的には測距装置の測距性能に大きく影響し、電圧変動等が生じた場合被写体までの距離に関係なく誤測距動作を生じる恐れがあった。
【００２５】
換言すれば、複数の直流出力電圧を出力するＤＣ−ＤＣコンバータを内蔵した電子機器においては、上記複数の直流出力電圧が供給される複数の負荷間において電圧変動や電圧低下に対する影響度に差がある場合、電圧変動等の発生自体がメイン動作に悪影響を及ぼす恐れがあるという不都合点を有していた。
【００２６】
本発明は上述したような不都合点を考慮してなしたもので、電圧変動等の影響を大きく受ける電力供給先への電力供給を安定して行うことができるＤＣ−ＤＣコンバータおよびこのＤＣ−ＤＣコンバータを内蔵した電子機器を提供することを目的とする。
【００２７】
【課題を解決するための手段】
本発明によるＤＣ−ＤＣコンバータは、直流入力電圧を交流電圧に変換して出力する交流変換手段と、整流ダイオードとコンデンサとを直列接続した複数個の直列接続体と、前記交流電圧が供給されることにより前記直列接続体の各々のコンデンサから複数の直流出力電圧を出力する整流平滑手段とを備えたＤＣ−ＤＣコンバータに於いて、前記整流平滑手段が、少なくとも、電圧変動の影響の少ない第１負荷に接続される第１の直列接続体と、電圧変動の影響の大きい第２負荷に接続される第２の直列接続体からなり、前記第１の直列接続体の整流ダイオードと直列、かつ前記整流ダイオードと直列接続されたコンデンサの直流出力電圧の出力路を形成しない位置に前記第２負荷の電圧変動を抑制するための電流制限手段を備えて構成している。
【００２８】
これにより、電流制限手段が接続された整流平滑手段より直流出力電圧の供給を受ける負荷の動作に基づいて発生する上記直流電圧出力の電圧変動等が抑制され、換言すれば、一つの負荷の動作に基づく直流電圧出力の電圧変動等の影響がそのまま他の負荷に反映されることが無くなり、この結果、電流制限手段が接続された整流平滑手段からの電力供給を電圧変動等の影響が少ない第１負荷に対して行い、電圧変動等の影響を大きく受ける第２負荷への電力供給を電流制限手段が接続されていない整流平滑手段から行うことにより、上記第２負荷に安定した電力供給を行うことができるＤＣ−ＤＣコンバータを得ることができる。
【００２９】
本発明によるＤＣ−ＤＣコンバータを内蔵した電子機器は、直流入力電圧を交流電圧に変換して出力する交流変換手段と、整流ダイオードとコンデンサとを直列接続した複数個の直列接続体と、前記交流電圧が供給されることにより前記直列接続体の各々のコンデンサから複数の直流出力電圧を出力する整流平滑手段とを備えたＤＣ−ＤＣコンバータであり、前記整流平滑手段が、少なくとも、電圧変動の影響の少ない第１負荷に接続される第１の直列接続体と、電圧変動の影響の大きい第２負荷に接続される第２の直列接続体からなり、前記第１の直列接続体の整流ダイオードと直列、かつ前記整流ダイオードと直列接続されたコンデンサの直流出力電圧の出力路を形成しない位置に前記第２負荷の電圧変動を抑制するための電流制限手段を備えたＤＣ−ＤＣコンバータを内蔵し、上記電流制限手段が接続された整流平滑手段に電圧変動等の影響が少ない第１負荷を接続する点に特徴がある。
【００３０】
これにより、電流制限手段が接続された整流平滑手段より直流出力電圧の供給を受ける負荷の動作に基づいて発生する上記直流電圧出力の電圧変動等が抑制され、よって、電流制限手段が接続されていない整流平滑手段から電圧変動等の影響を大きく受ける第２負荷への電力供給を安定して行えることになり、安定した負荷動作を期待できる電子機器を得ることができる。
【００３１】
【発明の実施の形態】
本発明による請求項１に記載の発明は、直流入力電圧を交流電圧に変換して出力する交流変換手段と、整流ダイオードとコンデンサとを直列接続した複数個の直列接続体と、前記交流電圧が供給されることにより前記直列接続体の各々のコンデンサから複数の直流出力電圧を出力する整流平滑手段とを備えたＤＣ−ＤＣコンバータに於いて、前記整流平滑手段が、少なくとも、電圧変動の影響の少ない第１負荷に接続される第１の直列接続体と、電圧変動の影響の大きい第２負荷に接続される第２の直列接続体からなり、前記第１の直列接続体の整流ダイオードと直列、かつ前記整流ダイオードと直列接続されたコンデンサの直流出力電圧の出力路を形成しない位置に前記第２負荷の電圧変動を抑制するための電流制限手段とを備えてＤＣ−ＤＣコンバータを構成したものであり、電流制限手段が接続された整流平滑手段より直流出力電圧の供給を受ける負荷の動作に基づいて発生する上記直流出力電圧の電圧変動等を抑制できるという作用を有する。
【００３２】
本発明による請求項２に記載の発明は、請求項１に記載のＤＣ−ＤＣコンバータにおける電流制限手段を抵抗で構成したものであり、請求項１の発明と同様の作用を有する。
【００３３】
本発明による請求項３に記載の発明は、請求項１に記載のＤＣ−ＤＣコンバータにおける電流制限手段を自身が接続されたコンデンサの充電電荷の消費動作に応答してオフ状態になされ、当該コンデンサの充電時にオン状態になされるトランジスタで構成したものであり、請求項１の発明と同様の作用を有する。
【００３４】
本発明による請求項４に記載の発明は、請求項１ないし３に記載のＤＣ−ＤＣコンバータにおける交流変換手段を、直流入力電圧が印加される１個の昇圧用インダクタと、オンオフ動作することにより上記昇圧用インダクタへの上記直流入力電圧の印加を断続するスイッチ手段とで構成したものであり、請求項１に記載の発明と同様の作用を有する。
【００３５】
本発明による請求項５に記載の発明は、請求項４に記載のＤＣ−ＤＣコンバータにおける電流制限手段が接続されていないコンデンサの電圧変動を検出してスイッチ手段のオンオフ動作を制御する制御手段を備えて構成したものであり、請求項４に記載の発明と同様の作用を有する。
【００３６】
本発明による請求項６に記載の発明は、請求項５に記載のＤＣ−ＤＣコンバータにおける電流制限手段が接続されていないコンデンサの高電位側端子と電流制限手段が接続されているコンデンサの高電位側端子との間に接続された抵抗を備えて構成したものであり、請求項４に記載の発明と同様の作用を有する。
【００３７】
本発明による請求項７に記載の発明は、請求項１乃至６に係るＤＣ−ＤＣコンバータを内蔵して電子機器を構成することにより、電流制限手段が接続された整流平滑手段より直流出力電圧の供給を受ける負荷の動作に基づいて発生する上記直流出力電圧の電圧変動等を抑制でき、電圧変動等の影響を大きく受ける第２負荷への電力供給を安定して行えるという作用を有する。
【００４３】
以下、本発明によるＤＣ−ＤＣコンバータ等の実施の形態について、図１ないし図３を用いて説明する。
（実施例１）
図１は、本発明によるＤＣ−ＤＣコンバータおよびこのＤＣ−ＤＣコンバータを内蔵した電子機器の一実施の形態を示す要部電気回路図であり、図中、図４と同符号の要素は同一機能要素を示している。
【００４４】
なお、図１中に二点鎖線で囲んだ部分Ｘが本発明によるＤＣ−ＤＣコンバータの一実施の形態を示している。
【００４５】
本実施の形態のＤＣ−ＤＣコンバータＸは、図面からも明らかなように、図４に示した従来例とは整流平滑手段１４の構成が異なっている。
【００４６】
この整流平滑手段１４は、整流ダイオード９とコンデンサ１１とを直列接続してなる図４に示した従来例と同様の、第２の直列接続体７と、整流ダイオード８と電流制限手段である抵抗１６とコンデンサ１０とを直列接続してなる図４に示した従来例とは異なる、第１の直列接続体１５とから構成されている。
【００４７】
図１において、交流変換手段２のトランジスタ３をオンオフ動作させると、図４に示した従来例と同様、電源電池１の出力電圧が昇圧用インダクタ４に断続供給されて交流変換手段２の出力端である図中のＡ点に交流高電圧が発生する。
【００４８】
Ａ点に発生する交流高電圧は、整流平滑手段１４の直列接続体７および１５に供給され、よってコンデンサ１０がダイオード８と抵抗１６を介して、またコンデンサ１１がダイオード９を介して充電される。
【００４９】
充電されたコンデンサ１０の充電電圧は、その充電ループ構成は異なるが先の従来例と同様に赤外投光用の光源（赤外発光ダイオード）１２に抵抗１６を介さず直接供給されることにより当該光源１２の駆動電源として機能する。
【００５０】
また、充電されたコンデンサ１１の充電電圧は、先の従来例でも述べたが、赤外反射光の測定回路系（赤外反射光測定用ＩＣ）１３に直接供給されて当該測定回路系１３の駆動電源として機能する。
【００５１】
さて、測距動作を行うべく光源１２の発光動作、測定回路系１３による距離測定動作等を行うと、図４に示した従来例と同様、それぞれの電源として機能するコンデンサ１０およびコンデンサ１１の充電電荷が消費されることになる。
【００５２】
この時、Ａ点の電位は、電流制限手段である抵抗１６を備えていない図４に示した従来例における電位であるコンデンサ１０の端子電圧に整流ダイオード８による電圧降下分を加えた電位Ｖ２とは異なる電位、すなわち、本実施の形態は抵抗１６を備えており、コンデンサ１０の端子電圧に整流ダイオード８および抵抗１６による電圧降下分を加えた上記電位Ｖ２よりも高い電位ＶＡとなる。
【００５３】
なお、低温下で電源電池１の性能が劣化した場合など電源電池１の能力が十分でない場合においてもＡ点の電位は上述した電位ＶＡとなり、換言すれば、本実施の形態は、Ａ点の電位の低下を先の従来例に比して抑制できることになる。
【００５４】
したがって、本実施の形態は、測定回路系１３による電力消費によるコンデンサ１１の端子電圧の低下に対し、図４に示した従来例におけるＡ点の電位Ｖ２よりも高いＡ点の電位ＶＡから整流ダイオード９の電圧降下分を減じた電圧以下にコンデンサ１１の端子電圧が低下した時点で充電動作を再開できることになる。
【００５５】
すなわち、本実施の形態においてコンデンサ１１の充電が再開される時点におけるコンデンサ１１の端子電圧は、抵抗１６を有さない従来例において充電が再開される時点におけるコンデンサ１１の端子電圧値より抵抗１６の電圧降下分だけ高い電圧値となる。換言すれば、コンデンサ１１は、その端子電圧が大きく低下しない状態で充電が再開され、よって当該端子電圧の変動は小さくなり、この結果、測定回路系１３の動作に大きな影響を及ぼすことはなく、測定回路系１３は安定して動作することができる。
【００５６】
以上述べたように、図１に示した本発明の一実施の形態は、Ａ点の電位を電流制限手段である抵抗１６というきわめて簡単な構成により図４に示した従来例の場合に比して高電位に制御していることから、コンデンサ１１の端子電圧低下時の充電動作を従来例に比して高レベル状態で再開できることになる。
【００５７】
この結果、コンデンサ１１の端子電圧を大きく低下させることなく測定回路系１３への電力供給動作を行うことができ、これにより測定制御回路系１３は誤動作することなく安定して動作することになる。
【００５８】
なお、コンデンサ１０の端子電圧については逆に従来例に比して低下することが予想され、かかる場合、光源１２の発光光量が低下することになる。
【００５９】
しかしながら、光源１２の光量低下は測距できる最遠の被写体までの距離が短くなるのみで当該短くなった距離以内の被写体に対しては正常に測距動作を行うことができることから実用的に大きな問題を生じることはなく、加えて光源１２の光量低下を防止しても測定回路系１３が誤動作を生じると測距動作としては意味をなさないことから、本発明においては上述したような測定回路系１３の誤動作を防止できる構成を特徴としている。
【００６０】
（実施例２）
図2は、本発明によるＤＣ−ＤＣコンバータおよびこのＤＣ−ＤＣコンバータを内蔵した電子機器の他の実施形態を示す要部電気回路図であり、図中、図１と同符号の要素は同一機能要素を示している。
【００６１】
なお、図１中に二点鎖線で囲んだ部分Ｘ１が本発明によるＤＣ−ＤＣコンバータの他の実施形態を示している。
【００６２】
本実施の形態のＤＣ−ＤＣコンバータＸ１は、図面からも明らかなように、図1に示した実施の形態とは整流平滑手段１７の構成が異なっている。
【００６３】
この整流平滑手段１７は、整流ダイオード９とコンデンサ１１とを直列接続してなる図１に示した実施の形態と同様の直列接続体７と、整流ダイオード８と電流制限手段として機能する能動素子である制御トランジスタ１８とコンデンサ１０とを直列接続してなる直列接続体１７とから構成されている。
【００６４】
また、トランジスタ３が、その制御電極であるベースが測定回路系１３と接続され、例えば測定回路系１３内に形成されたコンデンサ１１の電圧検出手段の検出結果に基づき出力される制御信号により動作制御されるようになされている。具体的にはコンデンサ１１の端子電圧が所望電圧値に維持されていることが検出された時にはトランジスタ３をオフ状態に維持し、同端子電圧が所望電圧値以下であることが検出された時にはトランジスタ３をオンオフ動作させる制御信号により動作制御されるようになされている。なお、かかるトランジスタ３の制御構成自体については、先に図１で説明した実施の形態にも適用できることはもちろんである。
【００６５】
本実施の形態は上述したような構成を備えることから、制御トランジスタ１８のオンオフ動作を制御することにより、Ａ点とコンデンサ１０との接続状態を切換えることができる。すなわち、制御トランジスタ１８をオンすることによりＡ点とコンデンサ１０とを接続することができ、一方制御トランジスタ１８をオフすることによりＡ点とコンデンサ１０とを切り離すことができる。
【００６６】
このため、コンデンサ１０の充電電荷が消費される時、制御トランジスタ１８をオフしてコンデンサ１０をＡ点から切り離すことにより、Ａ点が充電電荷の消費によるコンデンサ１０の端子電圧低下の影響を受けないようにできる。
【００６７】
この結果、Ａ点の電位を高レベルに維持できることになり、コンデンサ１１の端子電圧の低下が生じても速やかに同低下を補う充電動作を行うことができる。
【００６８】
上述したように、図２に示した本発明の他の実施形態も、先の実施の形態と同様に、Ａ点の電位を電流制限手段として機能する能動素子である制御トランジスタ１８というきわめて簡単な構成により図４に示した従来例の場合に比して高電位に制御していることから、コンデンサ１１の端子電圧低下時の充電動作を従来例に比して高レベル状態で行えることになる。
【００６９】
この結果、本実施の形態においてもコンデンサ１１の端子電圧を大きく低下させることなく測定回路系１３への電力供給動作を行うことができ、これにより測定制御回路系１３は誤動作することなく安定して動作することになる。
【００７０】
なお、本実施の形態の場合、制御トランジスタ１８のオフ動作後のオン動作、すなわちコンデンサ１０の再充電動作については、その充電電流として比較的大きな電流を、また比較的長い充電時間を必要とすることから、例えばコンデンサ１１の端子電圧が変動しても装置としての動作に悪影響を及ぼさない期間を選択して行うような配慮が必要となる。逆にいえば、上述したような期間を有する装置においては、制御トランジスタ１８を負荷１２，１３の制御シーケンスに応答してオンオフ制御することにより、きわめて有効にコンデンサ１１の端子電圧の変動を防止でき、負荷１３の安定した動作を実現できることになる。
【００７１】
（実施例３）
図３は、本発明によるＤＣ−ＤＣコンバータおよびこのＤＣ−ＤＣコンバータを内蔵した電子機器のさらに他の実施形態を示す要部電気回路図であり、図中、図１と同符号の要素は同一機能要素を示している。
【００７２】
なお、図３中に二点鎖線で囲んだ部分Ｘ２が本発明によるＤＣ−ＤＣコンバータのさらに他の実施形態を示している。
【００７３】
本実施の形態のＤＣ−ＤＣコンバータＸ２は、図面からも明らかなように、図１に示した実施の形態におけるコンデンサ１０とコンデンサ１１の高電位側端子間を、制御抵抗１９を介して接続することにより構成されている。
【００７４】
また、図２に示した実施の形態と同様に、ＤＣ−ＤＣコンバータＸ２の制御入力、すなわちトランジスタ３の制御信号を、コンデンサ１１が駆動電源である測定回路系１３より得ており、例えばコンデンサ１１の端子電圧が所望電圧値に維持されていることが検出された時にはトランジスタ３をオフ状態に維持し、同端子電圧が所望電圧値以下であることが検出された時にはトランジスタ３をオンオフ動作させるようになされている。
【００７５】
したがって、本実施の形態も先に図１で述べた実施の形態と同様に、コンデンサ１１の端子電圧を大きく低下させることなく測定回路系１３への電力供給動作を行うことができ、これにより測定回路系１３の誤動作することのない安定した動作を実現できることはいうまでもない。
【００７６】
また、本実施の形態においては測定回路系１３によるコンデンサ１１の充電電荷の消費量が非常に少なく、コンデンサ１１の端子電圧が測定回路系１３の動作を保証できる所定電圧値以上に維持されていれば、基本動作として、トランジスタ３はオフ状態に維持される。
【００７７】
ここで、コンデンサ１０の端子電圧が何らかの原因により異常に低下した場合について考えてみる。
【００７８】
かかる場合、光源１２の次回発光動作のために、コンデンサ１０の充電動作が必要となるが、例えば本実施の形態における制御抵抗１９が接続されておらず、かつ上述したようにコンデンサ１１の端子電圧については所定電圧値以上に維持されていたとすると、トランジスタ３はオフしたままとなり、コンデンサ１０の充電動作は行われず、この結果、コンデンサ１０の端子電圧は異常に低下したままとなったり、そのまま次回の発光動作がなされた場合には必要以上に低下する恐れがある。
【００７９】
しかしながら、本実施の形態においては制御抵抗１９を接続していることから、上述したようにコンデンサ１０の端子電圧が異常に低下した場合、コンデンサ１１の充電電荷が制御抵抗１９を介してコンデンサ１０に供給されることになり、これによりコンデンサ１１の端子電圧が低下させられることになる。
【００８０】
コンデンサ１１の端子電圧が低下すれば当該低下が測定回路系１３にて検知されてトランジスタ３をオンオフ動作させる制御信号が測定回路系１３から出力されることになり、換言すれば、ＤＣ−ＤＣコンバータＸ２の動作が再開され、この結果、コンデンサ１０およびコンデンサ１１ともそれぞれの負荷を駆動するために十分な電圧値まで充電されることになる。
【００８１】
これにより、上述したようなコンデンサ１０の端子電圧が異常に低下したまま維持される等の不都合の発生を防止できることになる。
【００８２】
【発明の効果】
本発明は、整流平滑手段に電流制限手段を接続することにより、直流出力電圧の供給を受ける負荷の動作に基づいて発生する上記直流電圧出力の電圧変動等を抑制していることから、電流制限手段が接続された整流平滑手段からの電力供給を電圧変動等の影響が少ない第１負荷に対して行い、電圧変動等の影響を大きく受ける第２負荷への電力供給を電流制限手段が接続されていない整流平滑手段から行うことにより、上記第２負荷に安定した電力供給を行うことができるＤＣ−ＤＣコンバータおよびこのＤＣ−ＤＣコンバータを内蔵した電子機器を得ることができる効果を有している。
【図面の簡単な説明】
【図１】本発明によるＤＣ−ＤＣコンバータおよびこのＤＣ−ＤＣコンバータを内蔵した電子機器の一実施の形態を示す要部電気回路図
【図２】同他の実施形態を示す要部電気回路図
【図３】同さらに他の実施形態を示す要部電気回路図
【図４】従来周知のＤＣ−ＤＣコンバータおよびこのＤＣ−ＤＣコンバータを内蔵した電子機器の一例を示す要部電気回路図
【符号の説明】
１  電源電池
２  交流変換手段
３  トランジスタ
４  昇圧用インダクタ
８，９  整流ダイオード
１０，１１  コンデンサ
１２  光源
１３  測定回路系
１４  整流平滑手段
１５  直列接続体
１６  抵抗
１７  整流平滑手段
１８  制御トランジスタ
１９  制御抵抗
Ｘ，Ｘ１，Ｘ２  ＤＣ−ＤＣコンバータ
【図１】
0004381506.tif 000002
【図２】
0004381506.tif 000003
【図３】
0004381506.tif 000004
【図４】
0004381506.tif 000005